(57)【要約】      （修正有）【課題】赤ちゃんが抱っこされた際、衣服のずり上がりにより足が露出することを防ぎ、且つ、赤ちゃんの行動を抑制することを防止する。【解決手段】裾丈の長さを、赤ちゃんの丈にあった通常サイズよりも、足先全てを覆うのに十分な裾長以上の余分な長さを持たせ、且つ、赤ちゃん自身の足丈に応じて衣類の裾を折り返した際、折り返し部分のずり落ち防止のため折り返し部分を固定することのできる留め具を設ける。【選択図】図１
0003134851.tif 000002
【実用新案登録請求の範囲】
【請求項１】
裾丈が、足先全てを覆うのに十分な裾長を有するベビー用衣類であって、足丈に応じて衣類の裾を折り返した際、折り返した裾部分のずり落ちを防止するための折り返し部分の固定用留め具Ａを、少なくとも１カ所以上設けてなることを特徴とするベビー用衣類
【考案の詳細な説明】
【技術分野】
【０００１】  本考案は赤ちゃんが抱っこされた際や、ベビーカー乗車時、チャイルドシート乗車時などに足の露出を防御する防寒機能が施されたベビー用の衣類に関する。
【背景技術】
【０００２】  ベビー用衣服として、カバーオール、カバーオールタイプのコート、スパッツ、パンツ、パジャマなどのズボンタイプの衣服だけではなく、足股部分の二股構造を袋状に調節することが可能なツーウェイオールの衣服が幅広く用いられている。これらの衣服は、通常、赤ちゃんの足丈（足の長さ）のサイズに合わせた裾丈のものを使用することが一般的である。【０００３】  しかしながら、赤ちゃんのサイズにあった従来の通常丈のベビー衣服を着せて、赤ちゃんを長時間抱っこさせた場合や、ベビーカー、チャイルドシートなどに搭乗させた場合、裾が、たとえば膝部分までずり上がってしまい、足が露出され、冷えてしまうといった不具合があった。靴下を履いたとしても、抱っこにより裾がずりあがることにより足首から膝下が露出してしまう。たとえハイソックスをはかせていたとしても赤ちゃんはすぐに脱いでしまうといった不具合があった。【０００４】  一方、ベビー服の丈を赤ちゃん自身の丈よりも長い衣類を着用することにより、足の露出を防ぐことが考えられるが、丈の長いものをはかせるだけでは、ハイハイや歩行の際、赤ちゃんの行動に支障をきたす。ズボンなどの場合、丈を折り返すことも考えられるが単に丈を折り返しただけではすぐに折り返しがずり落ちてしまい、やはりその場合赤ちゃんの行動に支障を来すという問題があった。
【考案の開示】
【考案が解決しようとする課題】
【０００５】  本考案の目的は、上記課題を鑑み、赤ちゃんを抱っこした際、足の露出による冷えを防止し、且つ、赤ちゃんの行動に支障をきたすことのない優れたベビー服を提供することにある。
【課題を解決するための手段】
【０００６】    上記した課題を解決するための請求項１に記載の考案は、裾丈が、足先全てを覆うのに十分な裾長を有するベビー用衣服であって、赤ちゃん自身の足丈に応じて衣類の裾を折り返した際、折り返した裾部分のずり落ちを防止するための折り返し部分の固定留め具Ａを、少なくとも１カ所以上設けてなることを特徴とするベビー用衣類である。
【考案の効果】
【０００７】  本考案のベビー服を着用することにより、赤ちゃんが抱っこされた際、折り返し部分の留め具Ａを外し、ベビー服の裾丈を長くすることにより、たとえ赤ちゃんを長時間抱っこすることにより、裾がずり上がってしまったとしても、赤ちゃんの足が露出することなく足の冷えを防ぐことができる。また、靴下をはかせておかなくても、ベビーカーやチャイルドシートに搭乗させた際、折り返し部分の留め具Ａを外し、裾丈を長くすることにより、赤ちゃんの足が露出することなく足の冷えを防ぐことができる。【０００８】  留め具Ａにより、折り返し部分を赤ちゃん自身の丈の位置に固定することにより、長い裾丈が、ハイハイやタッチ、歩行の邪魔にならず、赤ちゃんの行動を抑制することを防ぐことができる。また、折り返し部の長さを調節できるよう数カ所に留め具Ａを設けることにより、赤ちゃんの成長に合わせ、長期にわたり使用することができる。
【考案を実施するための最良の形態】
【０００９】  以下、本考案を実施するための最良の形態について詳しく説明する。【００１０】  ベビー服のサイズを赤ちゃん自身の足丈にあった通常のサイズよりも裾部分がさらに長い、足先全てを覆うのに十分な裾丈の長さを設ける。具体的には、たとえば裾丈を赤ちゃん自身の足丈長に加え、３〜４０ｃｍ程度、好ましくは１０〜３０ｃｍ程度、余分な裾丈を設ける。加えて、赤ちゃん自身のサイズにあった通常サイズの位置で折り返した際、裾の先端部に留め具Ａを一カ所以上、好ましくは１〜４カ所付け、赤ちゃんの丈にあった位置で折り返して固定することにより、折り返し部分のずり落ちを防止する。留め具Ａの位置は、赤ちゃんの成長とともに折り返しの位置を調節できるよう、丈長に応じて裾の部分に段階的に数カ所設けてもかまわない。【００１１】  留め具Ａの例としてはスナップボタン、ボタンホールをペアとする一般的なボタン、ジッパー、ひも類、マジックテープ、リボン、止めゴム止めなどを使用することが可能であり、丈の折り返し部を固定することのできる留め具であれば特に限定されない。また、これらの留め具Ａをアップリケなどで装飾することも本考案に含まれる。【００１２】  また、これらの留め具Ａを裾の内側に設け、裾を袋状に折り返すものも本考案に含まれる。【００１３】  上述のように留め具Ａを用いることによって、赤ちゃん自身のサイズにあった通常サイズの位置で折り返すことにより、赤ちゃんがハイハイや歩行する際、障害になることはない。【００１４】  一方、裾丈長を赤ちゃん自身の丈よりも長くしているので、赤ちゃんを抱っこなどする際に留め具Ａを外せば、抱っこによって裾がずり上がったとしても赤ちゃんの足が露出することなく足の冷えを防ぐことができる。留め具Ａとして、スナップボタンやマジックテープなどを用れば、素早くベビー服の裾丈の長さを調節することができるので機能性に優れる。【００１５】  本考案の以前にも、たとえばズボンの裾を３ｃｍ程度折り返し、スナップボタンを留めることによってデザイン性を向上させた子供用の衣類等はあった。しかしながらこれらの折り返しを有するズボンなどは、デザイン性を重視したものであり、防寒性の付与を目的とするものではなかった。また、本考案の特徴は、赤ちゃんの足先の露出防止のために裾丈を赤ちゃん自身のサイズよりも長くすることであるから、袖の長さなど、裾以外のサイズは赤ちゃん自身のサイズに合ったものにするべきである。【００１６】  本考案で適用できるベビー服としては特に限定されないが、スパッツ、パンツ、ロングレッグパンツ、パジャマ、オーバーオール、カバーオール、又はカバーオールタイプコートなどのズボンタイプの衣服だけではなく、足股部分の二股構造を袋状に調節することが可能なツーウェイオールなどのベビー服が適用可能である。【００１７】  丈を折り返した際、外部に露出する部分については、本体の同布または別種類の布、別柄の布であっても差し支えない。また、裾の先端部は直線的なものだけでなく、フリル等、曲線的なデザインで合ってもかまわない。【００１８】  折り返し部分に裏布をつければ、デザイン的にも優れる。また、留め具Ａの種類、止め方を工夫することにより、多様なデザインが可能となる���【００１９】  以下に実施例を掲げて本考案を具体的に説明するが、本考案はこれらの実施例のみに限定されるものではない。
【実施例】
【００２０】  以下、本考案の実施例を添付図面に基づいて説明する。本考案のベビー用衣類として、たとえば図１に示すように、ズボンの裾先端に雄スナップボタンを４カ所設け、一方でズボンを折り返した際、ズボンの裾丈が赤ちゃんの足丈のサイズに合うような位置に雌スナップボタンを設けた。図１−（イ）では、赤ちゃんを抱っこしたり、ベビーカーに乗せたことにより、裾がずり上がったとしても、ズボンの裾丈が長いため、赤ちゃんの足が露出してしまうことはなかった。赤ちゃんを自由に歩かせる際には、図１−（ロ）のように裾丈を赤ちゃんのサイズに合わせたので、赤ちゃんの行動に支障を与えることは無かった。１−（ロ）の状態から、（イ）のように裾丈を長くして赤ちゃんの足が冷えないようにする際には、留め具Ａがスナップボタンとなっているので素早くズボンの形状を変化させ、冷えを防止することができた。【００２１】  図２は、留め具Ａとしてスナップボタンの代わりにマジックテープを用いたものであるが、図１に示した実施例と同様の効果が得られた。【００２２】  図３−（イ）、（ロ）によれば、上記実施例１と同様の効果を得ることができた。赤ちゃんの成長に伴い、裾丈長を調節する必要があったが、図３−（ハ）のように留め具Ａを複数箇所段階的に設けていたので、裾丈長に不具合を生じることはなかった。
【産業上の利用可能性】
【００２３】  本考案は、赤ちゃんが抱っこされた際に足の露出を防御する防寒機能が施され、且つ、赤ちゃんの行動に支障を与えない機能的なベビー用の衣類に利用することが可能である。
【図面の簡単な説明】
【００２４】
【図１】  図１は、留め具Ａとしてスナップボタンを用いた本考案の一実施例を示す図である。（イ）留め具Ａを外し、赤ちゃんの足を覆い隠した図、（ロ）裾を折り返し、留め具Ａにより固定した図（留め具Ａは折り返しに隠れて見えていない）。（１）・・・留め具Ａ（雄スナップボタン）、（２）・・・留め具Ａ（雌スナップボタン）。
【図２】  図２は、留め具Ａとしてマジックテープを用いた本考案の一実施例を示す図である。（イ）留め具Ａを外し、赤ちゃんの足を覆い隠した図、（ロ）裾を折り返し、留め具Ａにより固定した図（留め具Ａは折り返しに隠れて見えていない）、（１）・・・留め具Ａ（雄マジックテープ）、（２）・・・留め具Ａ（雌マジックテープ）。
【図３】  図３は、裾丈長を調節するため、留め具Ａを段階的に設けた本考案の一実施例を示す図である。（イ）留め具Ａを外し、赤ちゃんの足を覆い隠した図、（ロ）裾を折り返し、留め具Ａにより固定した図（留め具Ａは折り返しに隠れて見えていない）、（ハ）赤ちゃんの成長に合わせ、折り返し位置を調整したことを示す図（１）・・・留め具Ａ（雄スナップボタン）、（２）・・・留め具Ａ（雌スナップボタン）。
【図１】
0003134851.tif 000003
【図２】
0003134851.tif 000004
【図３】
0003134851.tif 000005
【手続補正書】
【提出日】平成19年5月21日(2007.5.21)
【手続補正１】
【補正対象書類名】明細書
【補正対象項目名】００１１
【補正方法】変更
【補正の内容】
【００１１】  留め具Ａの例としてはスナップボタン、ボタンホールをペアとする一般的なボタン、ジッパー、ひも類、マジックテープ（登録商標）、リボン、止めゴム止めなどを使用することが可能であり、丈の折り返し部を固定することのできる留め具であれば特に限定されない。また、これらの留め具Ａをアップリケなどで装飾することも本考案に含まれる。
【手続補正２】
【補正対象書類名】明細書
【補正対象項目名】００１４
【補正方法】変更
【補正の内容】
【００１４】  一方、裾丈長を赤ちゃん自身の丈よりも長くしているので、赤ちゃんを抱っこなどする際に留め具Ａを外せば、抱っこによって裾がずり上がったとしても赤ちゃんの足が露出することなく足の冷えを防ぐことができる。留め具Ａとして、スナップボタンやマジックテープ（登録商標）などを用れば、素早くベビー服の裾丈の長さを調節することができるので機能性に優れる。
【手続補正３】
【補正対象書類名】明細書
【補正対象項目名】００２１
【補正方法】変更
【補正の内容】
【００２１】  図２は、留め具Ａとしてスナップボタンの代わりにマジックテープ（登録商標）を用いたものであるが、図１に示した実施例と同様の効果が得られた。
【手続補正４】
【補正対象書類名】明細書
【補正対象項目名】００２４
【補正方法】変更
【補正の内容】
【００２４】
【図１】  図１は、留め具Ａとしてスナップボタンを用いた本考案の一実施例を示す図である。（イ）留め具Ａを外し、赤ちゃんの足を覆い隠した図、（ロ）裾を折り返し、留め具Ａにより固定した図（留め具Ａは折り返しに隠れて見えていない）。（１）・・・留め具Ａ（雄スナップボタン）、（２）・・・留め具Ａ（雌スナップボタン）。
【図２】  図２は、留め具Ａとしてマジックテープ（登録商標）を用いた本考案の一実施例を示す図である。（イ）留め具Ａを外し、赤ちゃんの足を覆い隠した図、（ロ）裾を折り返し、留め具Ａにより固定した図（留め具Ａは折り返しに隠れて見えていない）、（１）・・・留め具Ａ（雄マジックテープ（登録商標））、（２）・・・留め具Ａ（雌マジックテープ（登録商標））。
【図３】  図３は、裾丈長を調節するため、留め具Ａを段階的に設けた本考案の一実施例を示す図である。（イ）留め具Ａを外し、赤ちゃんの足を覆い隠した図、（ロ）裾を折り返し、留め具Ａにより固定した図（留め具Ａは折り返しに隠れて見えていない）、（ハ）赤ちゃんの成長に合わせ、折り返し位置を調整したことを示す図（１）・・・留め具Ａ（雄スナップボタン）、（２）・・・留め具Ａ（雌スナップボタン）。